【手続補正書】
【提出日】平成15年6月17日(2003.6.17)
【手続補正１】
【補正対象書類名】明細書
【補正対象項目名】発明の名称
【補正方法】変更
【補正の内容】
【発明の名称】電子写真装置、プロセスカートリッジ、電子写真感光体及びその製造方法
【手続補正２】
【補正対象書類名】明細書
【補正対象項目名】特許請求の範囲
【補正方法】変更
【補正の内容】
【特許請求の範囲】
【請求項１】
電子写真感光体の周囲に帯電手段、露光手段、現像手段及び転写手段を有し、該電子写真装置は該転写手段と該帯電手段の間に除電手段を有さない電子写真装置において、
該電子写真感光体は支持体上にフタロシアニン化合物を含有する電荷発生層及び電荷輸送層を有する電子写真感光体であり、かつ該電子写真感光体の明部暗減衰率Ａと暗部暗減衰率Ｂが下記式（１）を満足することを特徴とする電子写真装置：
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜。
【請求項２】
電荷発生層の塗布質量が３００ｍｇ／ｍ２以下である請求項１記載の電子写真装置。
【請求項３】
電荷発生層の塗布質量が１００ｍｇ／ｍ２以上３００ｍｇ／ｍ２以下である請求項２記載の電子写真装置。
【請求項４】
電荷発生層が水を含有する電荷発生層用塗布液を用いて形成された層である請求項１乃至３のいずれかに記載の電子写真装置。
【請求項５】
フタロシアニン化合物がＣｕＫα特性Ｘ線回折におけるブラッグ角（２θ±０．２°）の９．０°、１４．２°、２３．９°及び２７．１°に強いピークを有するオキシチタニウムフタロシアニンである請求項１乃至４のいずれかに記載の電子写真装置。
【請求項６】
フタロシアニン化合物がＣｕＫα特性Ｘ線回折におけるブラッグ角（２θ±０．２°）の９．６°及び２７．３°に強いピークを有するオキシチタニウムフタロシアニンである請求項１乃至４のいずれかに記載の電子写真装置。
【請求項７】
電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足する電子写真感光体の製造方法であって、
該電荷発生層を、水を含有する電荷発生層用塗布液を塗布することによって形成する工程を有することを特徴とする電子写真感光体の製造方法：
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜。
【請求項８】
該塗布液が、電荷発生層用塗布液全質量に対して水を１質量％以上３質量％未満含んでいる請求項７に記載の電子写真感光体の製造方法。
【請求項９】
該塗布液が、水をフタロシアニン化合物に対して１質量％以上１３０質量％未満含んでいる請求項７に記載の電子写真感光体の製造方法。
【請求項１０】
該塗布液が更にテトラヒドロフラン及びシクロヘキサノンを含有している請求項７乃至９のいずれかに記載の電子写真感光体の製造方法。
【請求項１１】
電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足することを特徴とする電子写真感光体：
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜。
【請求項１２】
電子写真感光体の周囲に帯電手段、露光手段、現像手段及び転写手段を有し、該電子写真装置は該転写手段と該帯電手段の間に除電手段を有さない電子写真装置に着脱自在であるプロセスカートリッジであって、請求項１１に記載の電子写真感光体と、帯電手段及び現像手段の少なくとも一方と、を一体に支持していることを特徴とするプロセスカートリッジ。
【手続補正３】
【補正対象書類名】明細書
【補正対象項目名】０００１
【補正方法】変更
【補正の内容】
【０００１】
【発明の属する技術分野】
本発明は、電子写真装置、プロセスカートリッジ、電子写真感光体及びその製造方法に関し、詳しくは、特定の画像形成手段及び特定の物性を有する電子写真感光体を具備する電子写真装置、該電子写真装置用のプロセスカートリッジ、電子写真感光体及びその製造方法に関する。


【手続補正４】
【補正対象書類名】明細書
【補正対象項目名】０００７
【補正方法】変更
【補正の内容】
【０００７】
また、本発明の目的は、上記電子写真装置用のプロセスカートリッジ、電子写真感光体及びその製造方法を提供することにある。


【手続補正５】
【補正対象書類名】明細書
【補正対象項目名】０００９
【補正方法】変更
【補正の内容】
【０００９】
また、本発明に係る電子写真感光体の製造方法は、電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足する電子写真感光体の製造方法であって、
該電荷発生層を、水を含有する電荷発生層用塗布液を塗布することによって形成する工程を有することを特徴とする：
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜。
また本発明に係る電子写真感光体は、電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足することを特徴とする：
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜。
また本発明に係るプロセスカートリッジは、電子写真感光体の周囲に帯電手段、露光手段、現像手段及び転写手段を有し、該電子写真装置は該転写手段と該帯電手段の間に除電手段を有さない電子写真装置に着脱自在であるプロセスカートリッジであって、上記の電子写真感光体と、帯電手段及び現像手段の少なくとも一方と、を一体に支持していることを特徴とする。